【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
物体を検査する方法であって、
検査エリア（３１２、７０２）内における物体（３０２）の存在に応答して、複数の構成部分（３２８、１００２）を有する物体（３０２）を包含するボリューム（３２６、１０００）を特定する工程と、
多数のセンサシステム（３１４、３１５、５００、７０８）をボリューム（３２６、１０００）の複数の構成部分（３２８、１００２）に割り当てる工程であって、多数のセンサシステムの各々（３１４、３１５、５００、７０８）を、各センサシステム（３１４、３１５、５００、７０８）が複数の構成部分（３２８、１００２）の中の特定の構成部分に在る物体（３０２）の表面（３２１、７１０）についてのデータ（３２４、５０４）を所望の品質レベル（３３２、５２２）で生成することができるかどうかに基づいてボリューム（３２６、１０００）の複数の構成部分（３２８、１００２）の中の多数の構成部分に割り当てる工程と、
ボリューム（３２６、１０００）の複数の構成部分（３２８、１００２）に割り当てられる多数のセンサシステム（３１４、３１５、５００、７０８）を用いて物体（３０２）の表面（３２１、７１０）についてのデータ（３２４、５０４）を生成する工程と、
データ（３２４、５０４）を用いて多数の不整合箇所が物体（３０２）の表面（３２１、７１０）に在るかどうかを判断する工程と
を含む方法。
【請求項２】
多数の不整合箇所が物体（３０２）の表面（３２１、７１０）に在ると判断されると、多数のメンテナンス作業を特定して物体（３０２）に対して実施する工程
を更に含む、請求項１に記載の方法。
【請求項３】
多数のセンサシステム（３１４、３１５、５００、７０８）は物体（３０２）の表面（３２１、７１０）の画像を生成し、本方法は、
多数の不整合箇所が物体（３０２）の表面（３２１、７１０）に在ると判断されると、多数の不整合箇所に向かって移動試験システム（３５４、６０２）を送る工程と、
多数の不整合箇所の各不整合箇所に対する位置で、移動試験システム（３５４、６０２）を用いて非破壊試験を実施する工程と
をさらに含む、請求項１に記載の方法。
【請求項４】
物体（３０２）の表面（３２１、７１０）についてのデータ（３２４、５０４）をコンピュータシステムに送信する工程を更に含み、
データ（３２４、５０４）を用いて多数の不整合箇所が物体（３０２）の表面（３２１、７１０）に在るかどうかを判断する工程が、
コンピュータシステムによって、データ（３２４、５０４）を用いて多数の不整合箇所が物体（３０２）の表面（３２１、７１０）に在るかどうかを判断する工程
を含む、請求項１から３のいずれか一項に記載の方法。
【請求項５】
データ（３２４、５０４）を用いて多数の不整合箇所が物体（３０２）の表面（３２１、７１０）に在るかどうかを判断する工程が、
データ（３２４、５０４）を基準データ（３４０）と比較して比較結果を作成する工程と、
比較結果を用いて多数の不整合箇所が物体（３０２）の表面（３２１、７１０）に在るかどうかを判断する工程と
を含む、請求項１から４のいずれか一項に記載の方法。
【請求項６】
多数の不整合箇所が物体（３０２）の表面（３２１、７１０）に在ると判断されると、多数の不整合箇所に対する物体（３０２）の表面上（３２１、７１０）の多数の位置を特定する工程
を更に含む、請求項１から５のいずれか一項に記載の方法。
【請求項７】
基準データ（３４０）は、物体（３０２）を製造した後に多数の画像を生成する工程、物体（３０２）のモデルを用いて多数の画像を生成する工程、及び物体（３０２）の現在の使用の前に多数の画像を生成する工程のうちの少なくとも１つの工程を実施することにより生成される物体（３０２）の表面（３２１、７１０）の多数の画像である、請求項５に記載の方法。
【請求項８】
多数のセンサシステム（３１４、３１５、５００、７０８）は移動センサシステム（３１５）を含み、本方法は、
物体（３０２）の表面（３２１，７１０）についてのデータ（３２４、５０４）を生成しながら検査エリア（３１２，７０２）内で移動センサシステム（３１５）を移動させる工程
を更に含む、請求項１から７のいずれか一項に記載の方法。
【請求項９】
検査エリア（３１２、７０２）内に位置する多数のセンサシステム（３１４、３１５、５００、７０８）と；
多数のセンサシステム（３１４、３１５、５００、７０８）と通信するコンピュータシステムであって、物体（３０２）を包含しかつ複数の構成部分（３２８、１００２）を有するボリューム（３２６、１０００）を特定し、多数のセンサシステム（３１４、３１５、５００、７０８）をボリューム（３２６、１０００）の複数の構成部分（３２８、１００２）に割り当てるように構成されたコンピュータシステムと；
を備えた装置であって、該多数のセンサシステム（３１４、３１５、５００、７０８）中の各センサシステム（３１４、３１５、５００、７０８）が複数の構成部分（３２８、１００２）の中の特定の構成部分に在る物体（３０２）の表面（３２１、７１０）についてのデータ（３２４、５０４）を所望の品質レベル（３３２、５２２）で生成することができるかどうかに基づいて、ボリューム（３２６、１０００）の複数の構成部分（３２８、１００２）の中の多数の構成部分に割り当てられており；
ボリューム（３２６、１０００）の複数の構成部分（３２８、１００２）に割り当てられる多数のセンサシステム（３１４、３１５、５００、７０８）を用いて物体（３０２）の表面（３２１、７１０）についてのデータ（３２４、５０４）を生成し；かつ多数の不整合箇所が物体（３０２）の表面（３２１、７１０）に在るかどうかを判断する、装置。
【請求項１０】
コンピュータシステムは、更に、多数の不整合箇所が物体（３０２）の表面（３２１、７１０）に在ると判断されると、多数のメンテナンス作業を特定して物体（３０２）に対して実施するように構成されている、請求項９に記載の装置。
【請求項１１】
移動試験システム（３５４、６０２）を更に備えており、コンピュータシステムは、更に、多数の不整合箇所が物体（３０２）の表面（３２１、７１０）に在ると判断されると、多数の不整合箇所に向かって移動試験システム（３５４、６０２）を送るように構成されており、移動試験システム（３５４、６０２）は、多数の不整合箇所の各不整合箇所に対する位置で非破壊試験を実施するように構成されている、請求項９または１０に記載の装置。
【請求項１２】
コンピュータシステムは、更に、物体（３０２）の表面（３２１、７１０）についてのデータ（３２４、５０４）を用いて多数の不整合箇所の各不整合箇所に対する位置を特定するように構成されている、請求項１１に記載の装置。
【手続補正２】
【補正対象書類名】明細書
【補正対象項目名】０１１７
【補正方法】変更
【補正の内容】
【０１１７】
異なる例示的な実施形態の説明を提示して、例示及び記述を行なってきたが、当該説明を網羅的に記載しようとするものではない、又は開示される構成の実施形態に限定しようとするものではない。多くの変形及び変更が存在することはこの技術分野の当業者には明らかである。更に、異なる例示的な実施形態は、他の例示的な実施形態とは異なる利点を提供することができる。選択される実施形態又は実施形態は、これらの実施形態の原理、実際の用途を最も分かり易く説明するために、この技術分野の他の当業者が、想定される特定の使用に適合するように種々の変更が為される種々の実施形態に関する開示を理解することができるように選択され、記載されている。
また、本願は以下に記載する態様を含む。
（態様１）
物体を検査する方法であって、
検査エリア内における物体の存在に応答して、複数の構成部分を有する物体を包含するボリュームを特定する工程と、
多数のセンサシステムをボリュームの複数の構成部分に割り当てる工程であって、多数のセンサシステムの各々を、各センサシステムが複数の構成部分の中の特定の構成部分に在る物体の表面についてのデータを所望の品質レベルで生成することができるかどうかに基づいてボリュームの複数の構成部分の中の多数の構成部分に割り当てる工程と、
ボリュームの複数の構成部分に割り当てられる多数のセンサシステムを用いて物体の表面についてのデータを生成する工程と、
データを用いて多数の不整合箇所が物体の表面に在るかどうかを判断する工程と
を含む方法。
（態様２）
多数の不整合箇所が物体の表面に在ると判断されると、多数のメンテナンス作業を特定して物体に対して実施する工程
を更に含む、態様１に記載の方法。
（態様３）
多数のセンサシステムは物体の表面の画像を生成し、本方法は、
多数の不整合箇所が物体の表面に在ると判断されると、多数の不整合箇所に向かって移動試験システムを送る工程と、
多数の不整合箇所の各不整合箇所に対する位置で、移動試験システムを用いて非破壊試験を実施する工程と
を含む、態様１に記載の方法。
（態様４）
多数の不整合箇所のそれぞれに対する位置が物体の表面についてのデータを用いて特定される、態様１に記載の方法。
（態様５）
物体の表面についてのデータをコンピュータシステムに送信する工程を更に含み、
データを用いて多数の不整合箇所が物体の表面に在るかどうかを判断する工程が、
コンピュータシステムによって、データを用いて多数の不整合箇所が物体の表面に在るかどうかを判断する工程
を含む、態様１に記載の方法。
（態様６）
データを用いて多数の不整合箇所が物体の表面に在るかどうかを判断する工程が、
データを基準データと比較して比較結果を作成する工程と、
比較結果を用いて多数の不整合箇所が物体の表面に在るかどうかを判断する工程と
を含む、態様１に記載の方法。
（態様７）
多数の不整合箇所が物体の表面に在ると判断されると、多数の不整合箇所に対する物体の表面上の多数の位置を特定する工程
を更に含む、態様１に記載の方法。
（態様８）
基準データは、物体を製造した後に多数の画像を生成する工程、物体のモデルを用いて多数の画像を生成する工程、及び物体の現在の使用の前に多数の画像を生成する工程のうちの少なくとも１つの工程を実施することにより生成される物体の表面の多数の画像である、態様６に記載の方法。
（態様９）
多数のセンサシステムは移動センサシステムを含み、本方法は、
物体の表面についてのデータを生成しながら検査エリア内で移動センサシステムを移動させる工程
を更に含む、態様１に記載の方法。
（態様１０）
ボリュームの複数の構成部分を選択して、物体の表面の略全体についてデータが生成されるようにする工程
を更に含む、態様１に記載の方法。
（態様１１）
物体の表面についてのデータが、物体の表面の静止画像と動画の少なくとも一方を含む、態様１に記載の方法。
（態様１２）
検査エリア内に位置する多数のセンサシステムと；多数のセンサシステムと通信するコンピュータシステムであって、物体を包含しかつ複数の構成部分を有するボリュームを特定し、多数のセンサシステムをボリュームの複数の構成部分に割り当てる構成されたコンピュータシステムと；を備えた装置であって、多数のセンサシステムの各々が、各センサシステムが複数の構成部分の中の特定の構成部分に在る物体の表面についてのデータを所望の品質レベルで生成することができるかどうかに基づいて、ボリュームの複数の構成部分の中の多数の構成部分に割り当てられており；ボリュームの複数の構成部分に割り当てられる多数のセンサシステムを用いて物体の表面についてのデータ生成し；かつ多数の不整合箇所が物体の表面に在るかどうかを判断する、装置。
（態様１３）
コンピュータシステムは、更に、多数の不整合箇所が物体の表面に在ると判断されると、多数のメンテナンス作業を特定して物体に対して実施するように構成されている、態様１２に記載の装置。
（態様１４）
多数のセンサシステムが物体の表面の画像を生成するように構成されている、態様１２に記載の装置。
（態様１５）
移動試験システムを更に備えており、コンピュータシステムは、更に、多数の不整合箇所が物体の表面に在ると判断されると、多数の不整合箇所に向かって移動試験システムを送るように構成されており、移動試験システムは、多数の不整合箇所の各不整合箇所に対する位置で非破壊試験を実施するように構成されている、態様１２に記載の装置。
（態様１６）
コンピュータシステムは、更に、物体の表面についてのデータを用いて多数の不整合箇所の各不整合箇所に対する位置を特定するように構成されている、態様１５に記載の装置。
（態様１７）
多数のセンサシステムが  物体の表面についてのデータを生成し、該データをネットワークを介してコンピュータシステムに送信するように構成された、態様１２に記載の装置。
（態様１８）
データを用いて多数の不整合箇所が物体の表面に在るかどうかを判断するように構成されているとき、コンピュータシステムは、データを基準データと比較して比較結果を作成し；比較結果を用いて多数の不整合箇所が物体の表面に在るかどうかを判断するように構成されている、態様１２に記載の装置。
（態様１９）
基準データは、物体を製造した後に多数の画像を生成する工程、物体のモデルを用いて多数の画像を生成する工程、及び物体の現在の使用の前に多数の画像を生成する工程のうちの少なくとも１つの工程を実施することにより生成される物体の表面の多数の画像である、態様１２に記載の装置。
（態様２０）
多数のセンサシステムは移動センサシステムを含み、移動センサシステムは物体の表面についてのデータを生成しながら検査エリア内を移動するように構成されている、態様１２に記載の装置。